(57)【特許請求の範囲】
【請求項１】
パッド体の被打撃面に対する打撃を検出し、検出出力に応じて楽音信号を発生する電子ドラム装置であって、
前記パッド体の下方に設けられ発光する光源部と、
前記パッド体の下方に設けられ上方から外縁部が視認できる程度に延設された板状の導光体と、
該導光体に設けられ前記光源部から発した光が入射する入射部と、
前記導光体の外縁部上面に形成された放光面とを備え、
前記光源部から発し前記導光体の前記入射部に入射した光を光ファイバの光伝搬原理を利用して前記導光体の前記外縁部へ放射状に導くと共に、前記外縁部に導かれた光の少なくとも一部を前記放光面から外部に放光させるようにしたことを特徴とする電子ドラム装置。
【請求項２】
前記入射部は、前記光源部に近接対向する対向面で構成され、該対向面から入射した光が、該入射した光の進行方向における前記対向面よりも前方に設けられた第１反射部で前記外縁部に向かって放射状に反射するようにしたことを特徴とする請求項１記載の電子ドラム装置。
【請求項３】
前記入射部は、前記導光体に形成した穴（７５）の内面で構成され、前記光源部は、前記導光体の前記穴内近傍で発光するように配置されたことを特徴とする請求項１記載の電子ドラム装置。
【請求項４】
前記導光体の前記外縁部は前記パッド体の外周において上方に屈曲して形成されると共に、前記放光面は前記外縁部の上部に形成され、前記外縁部に導かれた光が、前記外縁部の下部に設けられた第２反射部で前記放光面に向かって反射するようにしたことを特徴とする請求項１〜３のいずれか１項に記載の電子ドラム装置。
【発明の詳細な説明】
【０００１】
【発明の属する技術の分野】
本発明は、パッド体の打撃を検出し、その検出信号に基づいてドラム音を発生する電子ドラム装置に関する。
【０００２】
【従来の技術】
従来、電子ドラム装置では、装飾、あるいはナビゲート等のガイド機能やレッスン機能の実現等のため、ＬＥＤ等の光源で装置の一部を光らせるようにしたものがある。例えば、電子ドラム（特開平１１−３０９８３号公報）では、パッドの外周であるパッド枠に導光部を設け、導光部に略接する状態でＬＥＤ等の光源を設けることで、パッド枠を光らせるようにしている。
【０００３】
【発明が解決しようとする課題】
しかしながら、上記従来の電子ドラム装置では、パッド枠の全体が光ってみえるようにするためには、光源を多数設ける必要があり、構成が複雑化し、コストも上昇する。また、打撃されるパッドに近接して多数の光源が配置されることから、故障が起こりやすく、耐久性も低い。また、視認される態様は光源の配置等で定まってしまい、設計上で自由な態様を設定することは困難であった。そのため、より装飾的な発光をさせる等、自由な発光態様を得る上で改善の余地があった。
【０００４】
本発明は上記従来技術の問題を解決するためになされたものであり、その目的は、耐久性や低コストを確保しつつ、簡単な構成で且つ所望の態様でパッド体の外周全体を光らせることができる電子ドラム装置を提供することにある。
【０００５】
【課題を解決するための手段】
上記目的を達成するために本発明の請求項１の電子ドラム装置は、パッド体の被打撃面に対する打撃を検出し、検出出力に応じて楽音信号を発生する電子ドラム装置であって、前記パッド体の下方に設けられ発光する光源部と、前記パッド体の下方に設けられ上方から外縁部が視認できる程度に延設された板状の導光体と、該導光体に設けられ前記光源部から発した光が入射する入射部と、前記導光体の外縁部上面に形成された放光面とを備え、前記光源部から発し前記導光体の前記入射部に入射した光を光ファイバの光伝搬原理を利用して前記導光体の前記外縁部へ放射状に導くと共に、前記外縁部に導かれた光の少なくとも一部を前記放光面から外部に放光させるようにしたことを特徴とする。
【０００６】
この構成により、板状の導光体が、パッド体の下方に設けられ上方から外縁部が視認できる程度に延設されており、導光体の外縁部の上面には放光面が形成されている。光源部から発し導光体の入射部に入射した光は、光ファイバの光伝搬原理で導光体の外縁部へ放射状に導かれると共に、前記外縁部に導かれた光の少なくとも一部が放光面から外部に放光される。これにより、少数の光源で導光体の外縁部全体を光らせることができるので、構成が簡単で、耐久性が有り、故障も少なく、コストも低くすることができる。よって、耐久性や低コストを確保しつつ、簡単な構成で且つ所望の態様でパッド体の外周全体を光らせることができる。
【０００７】
なお、前記放光面は、前記導光体の外縁部の一部を粗面処理して形成してもよい。
【０００８】
同じ目的を達成するために本発明の請求項２の電子ドラム装置は、上記請求項１記載の構成において、前記入射部は、前記光源部に近接対向する対向面で構成され、該対向面から入射した光が、該入射した光の進行方向における前記対向面よりも前方に設けられた第１反射部で前記外縁部に向かって放射状に反射するようにしたことを特徴とする。
【０００９】
この構成により、光源部が発光すると、光源部に近接対向する対向面から光が入射し、該入射した光の進行方向における前記対向面よりも前方に設けられた第１反射部で導光体の外縁部に向かって放射状に反射する。従って、導光体内部を通過する光の方向が規定され、入射光を導光体の外縁部へ放射状に効率よく導くことができる。
【００１０】
同じ目的を達成するために本発明の請求項３の電子ドラム装置は、上記請求項１記載の構成において、前記入射部は、前記導光体に形成した穴の内面で構成され、前記光源部は、前記導光体の前記穴内近傍で発光するように配置されたことを特徴とする。
【００１１】
この構成により、導光体に形成した穴内近傍で光源部が発光すると、前記穴の内面から光が入射し、導光体の外縁部へ放射状に導かれる。よって、構成をより簡単にすることができる。
【００１２】
同じ目的を達成するために本発明の請求項４の電子ドラム装置は、上記請求項１〜３のいずれか１項に記載の構成において、前記導光体の前記外縁部は前記パッド体の外周において上方に屈曲して形成されると共に、前記放光面は前記外縁部の上部に形成され、前記外縁部に導かれた光が、前記外縁部の下部に設けられた第２反射部で前記放光面に向かって反射するようにしたことを特徴とする。
【００１３】
この構成により、導光体の外縁部はパッド体の外周において上方に屈曲し、その上部に放光面が形成されている。入射部から前記外縁部に導かれた光は、前記外縁部の下部に設けられた第２反射部で前記放光面に向かって反射し、前記放光面から放光される。よって、導光体の外縁部の上部が効率よく発光して視認されるようにすることができる。
【００１４】
【発明の実施の形態】
以下、本発明の実施の形態を図面を参照して説明する。
【００１５】
（第１の実施の形態）
図１は、本発明の第１の実施の形態に係る電子ドラム装置の外観図である。
【００１６】
本装置は、上ケース３０６上に複数（４個）のパッド体１１０を備える。パッド体１１０の外周にはパッド板兼導光体１１２の外縁部がみえている。後述するように、本装置では、例えばパッド体１１０を打撃することで、各パッド毎に割り当てた音色（スネアドラム、バスドラム、シンバル等）が電子的に発音されると共に、パッド板兼導光体１１２が環状に光ってみえるようになっている。
【００１７】
本装置では、パッド板兼導光体１１２が完全な環状に光る。なお、複数のパッド体１１０及びパッド板兼導光体１１２の大きさは異なるものもあるが基本的構成はいずれも同様である。本装置にはさらに、液晶等で構成され各種情報を表示する表示部１、電源の入り切りを行うためのスライド型の電源スイッチ部２、パラメータ設定で用いる回転型のパラメータ設定用ロータリーエンコーダ３、音量やテンポ等の各種パラメータを設定するための機能スイッチ部４、及びドラム音等を発音するスピーカ部５が設けられている。
【００１８】
図２は、本実施の形態におけるパッド体の平面図、図３は図１のＣ−Ｃ線に沿う部分断面図である。図４は、有膜弾性体の一部を切り取って斜め上方からみた部分斜視図である。なお、図２において表示したＣ−Ｃ線は、図１のものに対応している。
【００１９】
パッド体１１０の下方には、有膜弾性体２４２及びセンサ支持体２４０が配設されている（図３）。有膜弾性体２４２は、弾性を有し振動を伝達しにくい合成樹脂（例えばポリプロピレン）等で構成される。
【００２０】
図２、図４に示すように、有膜弾性体２４２は略円盤状に形成され、その半径方向略中央部は肉厚部２４２ｂとなっている。また、外周部は肉厚部２４２ｂよりもさらに肉厚の環状肉厚部２４２ｃとなっている。肉厚部２４２ｂから環状肉厚部２４２ｃまでの間は薄膜部２４２ａとなっている。薄膜部２４２ａの厚みは例えば０．３ｍｍ程度である。環状肉厚部２４２ｃは、ブリッジ体１４と干渉しないように円周方向の該当３箇所において盗みが設けられている（図示せず）。また、環状肉厚部２４２ｃの外周面には、位置決め用溝Ｍ３が設けられている（図４）。この位置決め用溝Ｍ３は、上ケース３０６の、パッド体１１０が嵌合する大穴３０６ｂに設けた不図示の突起部と嵌合し、パッド体１１０の円周方向の位置を規定する。
【００２１】
センサ支持体２４０は有膜弾性体２４２の下面に接着されている。センサ支持体２４０は剛性を有する板状部材で円盤状に形成され、その外縁部が有膜弾性体２４２の肉厚部２４２ｂの外周側近傍まで延びている。センサ支持体２４０の略中央下部にはセンサ部４１が設けられている。センサ部４１は、ピエゾ型圧電センサ等で構成され、ブリッジ体１４及びセンサ支持体４０を通じて伝わる打撃振動を検出する。
【００２２】
センサ支持体２４０は有膜弾性体２４２と共にブリッジ体１４によってパッド体１１０と結合されている（図３）。ブリッジ体１４は、弾性を有する材料で円周方向に幅広の帯状に形成され、３箇所に等間隔に設けられる（図２）。ブリッジ体１４の外周側の上端部１４ａはパッド板兼導光体１１２の外縁部下部に接着等で固着されている。ブリッジ体１４は、その内周側の下端部１４ｂとセンサ支持体２４０とで有膜弾性体２４２の肉厚部２４２ｂをサンドイッチする形で取り付けられている。下端部１４ｂは、各ブリッジ体１４につき２個のネジ１３によってセンサ支持体２４０及び有膜弾性体２４２に固着されている。ブリッジ体１４は、パッド体１１０の打撃による振動をセンサ支持体２４０に伝達する。ブリッジ体１４は、上記のようにパッド体１１０の外縁下部近傍から延設され円周方向に幅広に形成されているので、パッド体１１０の周縁から回り込むように広い経路で打撃振動が伝わり、打撃位置によって出力が変動する「感度むら」が効果的に防止される。
【００２３】
上ケース３０６は、パッド体１１０が嵌合する大穴３０６ｂを有し、大穴３０６ｂの内周面に保持部３０６ａが延設されている。有膜弾性体２４２の環状肉厚部２４２ｃを保持部３０６ａ上に載せ、下方からネジ２２４で固着することで、有膜弾性体２４２が上ケース３０６に固定される。
【００２４】
センサ支持体２４０の略中央部には、光源部７０が設けられている（図３、図４）。有膜弾性体２４２の対応部分には穴が形成されており、光源部７０はこの穴を貫通してセンサ支持体２４０に取り付けられている。光源部７０は、リード線７２を通すための切り欠きが設けられた筒体７３とＬＥＤ７１とから構成される（図４）。ＬＥＤ７１は発光して主に上方に向かって光を発する。
【００２５】
図３に示すように、パッド体１１０は、パッド表皮体１１１及びパッド板兼導光体１１２で構成される。パッド表皮体１１１はゴム等の弾性体で構成され、その上面である打撃面１１１ａ（被打撃面）が叩打される。パッド板兼導光体１１２は、光を透過するポリカーボネート等の透明体で構成される。パッド板兼導光体１１２は、浅い皿状に形成され、外縁部が全周に亘って上方に屈曲している。パッド表皮体１１１は、パッド板兼導光体１１２の平坦な皿状部分に接着剤で固着されている。パッド板兼導光体１１２はパッド板としての機能を兼ねる。
【００２６】
パッド板兼導光体１１２の略中央下面には、光入射部１１２ａ（入射部）が設けられている。光入射部１１２ａは下方に突出し、光源部７０と略同軸にパッド板兼導光体１１２と一体に形成されている。光入射部１１２ａの下面（対向面）は光源部７０の上面と正面で対向し、近接しており、ＬＥＤ７１からの光が他に漏れにくくなっている。
【００２７】
光入射部１１２ａの上方であってパッド板兼導光体１１２の内部には、円錐状の第１反射部１１６が設けられる。第１反射部１１６は、例えば予めパッド板兼導光体１１２を上方から円錐状にくり抜き、その円錐面１１６ａを高い面粗度に仕上げることで形成される。なお、くり抜いた円錐状部分に光を反射しやすい白色等の合成樹脂を埋め込んでもよい。または、鏡面状のアルミ板等の金属板で円錐面１１６ａを覆うようにしてもよい。第１反射部１１６の先端は断面略直角となっており、ＬＥＤ７１で発し光入射部１１２ａから入射する光を水平方向に放射状に反射させる。なお、第１反射部１１６の円錐状部分とパッド表皮体１１１とのすきまに、アルミ板等を配設して反射効率を高めるようにしてもよい。
【００２８】
パッド板兼導光体１１２の平坦部における上面及び下面は、いずれも高い面粗さに（鏡面のように）処理されている。従って、上面及び下面では光が反射しやすく、パッド板兼導光体１１２の内部を透過する光が所定角度以下で高面粗度の面に向かうときはほぼ全反射する。これにより、第１反射部１１６から放射状に放出された入射光は、いわゆる光ファイバの光伝搬原理でパッド板兼導光体１１２の外周方向に向かって水平に効率良く導光される。なお、パッド表皮体１１１の下面を光を反射しやすい白色系に塗ることにより、パッド板兼導光体１１２の上面における反射効果をより高めることができる。
【００２９】
パッド板兼導光体１１２の外縁部下部は、全周に亘り上方に向かって拡径するように約４５度にカットされ高い面粗度に仕上げられており、このカット面が第２反射部１１２ｄとなっている。また、パッド板兼導光体１１２の外縁部は、全周に亘りパッド表皮体１１１よりも張り出して上方に延び、上面が平坦な放光面１１２ｃとなっている。放光面１１２ｃは、面粗度を少し粗く（すりガラスのように）して形成されている。
【００３０】
第１反射部１１６から放射状に放出された入射光は、第２反射部１１２ｄでほぼ全反射し、上方の放光面１１２ｃに向かう。放光面１１２ｃを粗面処理したことで、パッド板兼導光体１１２内部において放光面１１２ｃに向かう入射光は乱反射しやすくなり、一部が全反射することなく外部に漏れる。これにより、奏者からみると、放光面１１２ｃだけが光っているように見える。なお、粗面処理は、例えば、ビートブラスト法によりなされる。
【００３１】
組み付け後の非打撃時には、有膜弾性体２４２の環状肉厚部２４２ｃの上面２４２ｃａとパッド板兼導光体１１２の下面とは、僅かに離間している。すなわち、上ケース３０６とパッド体１１０とは非当接的関係になっている。一方、パッド体１１０の打撃時には両者が当接し、上ケース３０６とパッド体１１０とが当接的関係になって、環状肉厚部２４２ｃがストッパ的役割を果たすことで、パッド体１１０の過剰な変位が抑制される。パッド体１１０の外周部も導光体２１とは僅かに離間している。
【００３２】
結局、最終組み付け後の非打撃時には、パッド体１１０の外周部は有膜弾性体２４２の環状肉厚部２４２ｃとは実質的に離間状態となっている。従って、パッド体１１０、センサ部４１、センサ支持体２４０等が、有膜弾性体２４２の薄膜部２４２ａだけを介して上ケース３０６に結合され、上ケース３０６に対して浮設された形となっている。これにより、振動伝達に限っていえば、パッド体１１０、センサ部４１、センサ支持体２４０等が、上ケース３０６から独立してあたかも宙に浮いているかのように作用する。すなわち、上ケース３０６からの衝撃や振動（例えば、他パッドの打撃や上ケース３０６自体の打撃によるもの）は薄膜部２４２ａでほぼ吸収、遮断され、センサ部４１への振動伝達が効果的に抑えられるので、構造的に飛び付きが防止される。
【００３３】
また、打撃時には環状肉厚部２４２ｃによってパッド体１１０の過剰な変位が抑制される結果、破損や故障が防止されると共に、ドラム音源として不適な信号（超低周波数等）の発生が排除される。なお、上ケース３０６の振動が環状肉厚部２４２ｃを通じてパッド体１１０に伝わらない程度、すなわち上ケース３０６とパッド体１１０とが非当接的関係であれば、環状肉厚部２４２ｃの上面２４２ｃａとパッド体１１０とは微接触していてもよい。
【００３４】
楽音制御及び光源部７０の発光制御は例えば次のようにしてなされる。
【００３５】
４個のパッド体１１０における各センサ部４１からの打撃検出信号は、不図示のＣＰＵに入力され、成形され、音源指示信号として不図示の音源部に出力され、これをトリガとして、ドラム音が発生する。その際、光源部７０が発光することで、打撃されたパッド体１１０の周りに位置する放光面１１２ｃも同時に光る。処理手順としては例えば、まず、初期化を行い、音色等楽音パラメータの（変更）設定処理を行って、パッド処理、すなわちパッド体１１０の打撃検出信号に基づき、上記設定された楽音の発生とＬＥＤ７１の発光処理とを行う。
【００３６】
なお、光源部７０の発光は打撃時に限ることなく、光鍵盤のように、練習用の打撃指示のために発光させてもよい。また、装飾として常時発光するようにしてもよいし、もぐらたたきのようなゲームができるように応用してもよい。
【００３７】
本装置は次のようにして製造される。
【００３８】
まず、上述したような手順でパッド体１１０、有膜弾性体２４２及びセンサ支持体２４０を組み付けたアッセンブリを作り、これを裏返す。次に、上ケース３０６を裏返した状態で、上ケース３０６の大穴３０６ｂにパッド体１１０が嵌合するように、また大穴３０６ｂに設けた不図示の突起部が有膜弾性体２４２の位置決め用溝Ｍ３に嵌合するように、上ケース３０６を配置する。そして、有膜弾性体２４２の環状肉厚部２４２ｃと保持部３０６ａとをネジ２２４で固着する。
【００３９】
本実施の形態によれば、光源部７０のＬＥＤ７１から光入射部１１２ａに入射された入射光を、第１反射部１１６から第２反射部１１２ｄまでの間、光ファイバの光伝搬原理を利用して放射状に導くと共に、第２反射部１１２ｄで反射させて放光面１１２ｃから適当に放光するようにしたので、パッド体１１０の全周に亘って切れ目なく光らせることができる。また、放光面１１２ｃを設ける態様で発光態様を異ならせることができるので、ドラム装置の機種等に合わせて装飾的な発光を実現することが容易である。さらに、最小限の発光体（本実施の形態では１個のＬＥＤ７１）で全体を光らせることができるので、構成が簡単でありコストを低減できるだけでなく、故障が少なく耐久性もある。よって、簡単な構成、最小限の光源でパッド体の周りを所望の態様で発光させることができる。
【００４０】
また、パッド体１１０、有膜弾性体２４２及びセンサ支持体２４０等を組み付けたアッセンブリが、振動伝達を抑制し得る薄膜部２４２ａでのみ上ケース３０６に浮設支持される。従って、振動伝達に関して上ケース３０６からの独立性を確保することができる。よって、他パッドの打撃や上ケース３０６自身の打撃に起因する飛び付きが防止される。さらに、ブリッジ体１４は、パッド体１０の外縁下部近傍から延設され円周方向に幅広に形成されているので、周縁から回り込むようにより広い経路で打撃振動が伝わり、「感度むら」が効果的に防止され、打撃位置に拘わらず均一な出力が得られる。
【００４１】
（第２の実施の形態）
本実施の形態では、装置の外観は第１の実施の形態と同様であるが内部構成が異なる。本実施の形態では、光源部７０が振動検出体２１０の下方に配設される。パッド板兼導光体２１２は完全な環状に光る。
【００４２】
図５は、本実施の形態に係る電子ドラム装置における振動検出体の平面図、図６は図５のＤ−Ｄ線に相当する線に沿う電子ドラム装置の部分断面図、図７は有膜弾性体の平面図である。
【００４３】
振動検出体２１０は、パッド表皮体１１１、パッド板兼導光体２１２及びセンサ支持体３４０から構成される。振動検出体２１０の下方には、有膜弾性体３４２が配設されている（図６）。有膜弾性体３４２の材質は第１の実施の形態における有膜弾性体２４２と同様である。
【００４４】
図７に示すように、有膜弾性体３４２は略円盤状に形成され、その半径方向略中央部までの間は肉厚のベース体３４２ｂとなっている。また、外周部はベース体３４２ｂよりもさらに肉厚の環状肉厚部３４２ｃとなっている。ベース体３４２ｂから環状肉厚部３４２ｃまでの間は薄膜部３４２ａとなっている。薄膜部３４２ａの厚みは例えば０．３ｍｍ程度である。環状肉厚部３４２ｃには、等間隔に４箇所に取り付け用穴３４２ｅが設けられている（図７）。
【００４５】
有膜弾性体３４２の中央よりやや外周方向に外れた位置には、光源部７０が設けられている（図６、図７）。光源部７０はベース体３４２ｂの上面に取り付けられている。光源部７０の位置が中央でないのは、センサ部４１との近接配置を避け、配線を容易にするためである。光源部７０の構成は第１の実施の形態と同様であり、ＬＥＤ７１が主に上方に向かって光を発する。
【００４６】
有膜弾性体３４２にはまた、円筒状のスタッド受け８１が設けられる。スタッド受け８１は、ベース体３４２ｂの中央よりやや外周方向に外れた位置に等間隔に３個設けられ、上方に突出しベース体３４２ｂと一体に形成される。ベース体３４２ｂにはさらに、センサ部４１のリード線４３及び光源部７０のリード線７２を通すための穴３４２ｄが形成されている。
【００４７】
パッド板兼導光体２１２とセンサ支持体３４０とはスタッド２１３を通じて一体に形成されて構成され、例えばスライドコア金型による一体成形で製造される。スタッド２１３は、３箇所に等間隔に設けられ、パッド表皮体１１１の打撃振動をセンサ支持体３４０に伝える。なお、パッド板兼導光体２１２とセンサ支持体３４０とは別体に形成し、これらを別体のスタッドで結合するようにしてもよい。
【００４８】
パッド表皮体１１１はゴム等の弾性体で構成され、その上面である打撃面１１１ａが叩打される。パッド板兼導光体２１２等は、光を透過するポリカーボネート等の透明体で構成される。パッド板兼導光体２１２は、浅い皿状に形成され、外縁部が上方に屈曲している。パッド表皮体１１１は、パッド板兼導光体２１２の平坦な皿状部分に接着剤で固着されている。パッド板兼導光体２１２はパッド板としての機能を兼ねる。
【００４９】
パッド板兼導光体２１２の下面には、光入射部２１２ａが設けられている。光入射部２１２ａは、パッド板兼導光体２１２の中心からやや外周方向に外れ、下方に突出し、光源部７０と略同軸にパッド板兼導光体２１２と一体に形成されている。光入射部２１２ａの下面は光源部７０の上面と正面で対向し、近接しており、ＬＥＤ７１からの光が他に漏れにくくなっている。
【００５０】
光入射部２１２ａの上方であってパッド板兼導光体２１２の内部には、円錐状の第１反射部１１６が設けられる。第１反射部１１６の構成、パッド板兼導光体２１２の平坦部における上面及び下面の面処理は第１の実施の形態と同様である。また、パッド板兼導光体２１２の外縁部も、第１の実施の形態におけるパッド板兼導光体１１２と同様に構成され、第２反射部１１２ｄ及び放光面１１２ｃと同様の第２反射部２１２ｄ及び放光面２１２ｃを有する。従って、光源部７０からの入射光は、第１反射部１１６から放射状に放出され、第２反射部２１２ｄでほぼ全反射し、上方の放光面２１２ｃから外部に漏れる。これにより、第１の実施の形態と同様に、奏者からみると、放光面２１２ｃだけが光っているように見える。
【００５１】
パッド板兼導光体２１２にはさらに、スタッド受け８１に対応する３箇所に穴が形成され、これらの穴を貫通してスタッド８３をスタッド受け８１に嵌挿することで、パッド板兼導光体２１２がベース体３４２ｂに固定支持される。上記したパッド表皮体１１１とパッド板兼導光体２１２との接着はスタッド８３の嵌挿後に行う。
【００５２】
上ケース４０６は、振動検出体２１０が嵌合する大穴４０６ｂを有し、大穴４０６ｂの内周面に保持部４０６ｄが形成されている。有膜弾性体３４２の環状肉厚部３４２ｃを保持部４０６ｄ上に載せ、有膜弾性体３４２の取り付け用穴３４２ｅを貫通してスタッド３２４を上方から嵌挿することで、有膜弾性体３４２が上ケース４０６に固定される。なお、その後、スタッド３２４乃至環状肉厚部３４２ｃの上面には、緩衝材８２が接着される。
【００５３】
上ケース４０６の底板部４０６ａは、大穴４０６ｂを下方から塞ぐように形成されている。底板部４０６ａには、センサ部４１のリード線４３及び光源部７０のリード線７２を通すための小穴４０６ｃが形成されている。
【００５４】
なお、本実施の形態では、緩衝材８２の上面８２ａが、第１の実施の形態における有膜弾性体２４２の環状肉厚部２４２ｃの上面２４２ｃａと同様のストッパ的機能を果たし、振動検出体２１０の過剰な変位を抑制する。なお、楽音制御及び光源部７０の発光制御は第１の実施の形態と同様である。
【００５５】
本装置は次のようにして製造される。
【００５６】
まず、有膜弾性体３４２の環状肉厚部３４２ｃを上ケース４０６の保持部４０６ｄ上に載せ、スタッド３２４を嵌挿して有膜弾性体３４２を上ケース４０６に固定する。一方、センサ支持体３４０にセンサ部４１を取り付ける。そして、有膜弾性体３４２にパッド板兼導光体２１２をスタッド８３で取り付けた後、パッド表皮体１１１をパッド板兼導光体２１２に固着する。本実施の形態では、各部品を裏返すことなくすべて上方から組み付けできるので、作業効率がよい。
【００５７】
本実施の形態によれば、光源部７０、光入射部２１２ａ、第１反射部１１６、第２反射部２１２ｄ及び放光面２１２ｃの作用により、パッド板兼導光体２１２の全周に亘って光らせることに関し、第１の実施の形態と同様の効果を奏することができる。
【００５８】
また、振動検出体２１０、ベース体３４２ｂが、振動伝達を抑制し得る薄膜部３４２ａでのみ上ケース４０６に浮設支持される。よって、飛び付きの発生防止に関し、第１の実施の形態と同様の効果を奏することができる。
【００５９】
さらに、パッド体に相当するもの（パッド表皮体１１１及びパッド板兼導光体２１２）とセンサ支持体３４０とが結合したもの、すなわち振動検出体２１０を、打撃検出を担う「打撃検出系」とみなし、一方、上記パッド体に相当するものを保持するベース体３４２ｂが薄膜部３４２ａで上ケース４０６に結合されたものを、飛び付き防止を担う「飛び付き防止系」とみなせば、両系は比較的分離独立したものとなる。従って、打撃検出特性の改善または飛び付き防止特性の改善を図る必要があるとき、他方の系に影響を与えることなく一方の系のみの設計変更をすることが可能となる。
【００６０】
また、パッド板兼導光体２１２とセンサ支持体３４０とをスライドコア金型による一体成形等で形成できるので、構成が簡単であり、また、ロット間異態様、パッド間異態様はあり得ないから、部品点数を少なくすることができる。
【００６１】
さらに、上ケース４０６の底板部４０６ａで大穴４０６ｂを下方から塞ぐようにしたので、パッド下方に大きな穴がなく、気密性の高い構造にすることができる。上ケース４０６には、不図示の下ケースを結合することで、電子ドラム装置の筐体が構成されるが、筐体全体をスピーカボックスとして見た場合、電子回路を内蔵したとしても、気密性の高いスピーカボックスを構成することができ、音質向上に寄与する。
【００６２】
（第３の実施の形態）
第１、第２の実施の形態では、光入射部１１２ａの下面を光源部７０の上面と近接対向させたが、ＬＥＤ７１からの光が他に漏れにくいようにできれば、他の構成も考えられる。第３の実施の形態では、パッド体１１０及び光源部７０以外の構成は第１の実施の形態と同様である。
【００６３】
図８は、第３の実施の形態に係る電子ドラム装置におけるパッド体１１０の中央近傍を示す部分断面図である。
【００６４】
光入射部１１２ａを下方に突出させ、その内部に穴７５を設ける。そして、ＬＥＤ７１を穴７５内に挿入する。第１反射部１１６は設けない。
【００６５】
ＬＥＤ７１はパッド板兼導光体１１２の板厚方向における中央近傍までせり出しているので、ＬＥＤ７１からの光は穴７５の内面から直接パッド板兼導光体１１２に入射され、放射状に外周方向に導かれる。なお、ＬＥＤ７１が挿入できれば穴７５の形状は上記の形状に限られない。
【００６６】
本実施の形態によれば、パッド板兼導光体２１２の全周に亘って光らせることに関し、第１の実施の形態と同様の効果を奏することができ、しかも第１反射部１１６や筒体７３等が不要になる結果、構成をより簡単にすることができる。
【００６７】
なお、第１、第２、第３の実施の形態において、第２反射部１１２ｄの形状は４５度のカット面に限らず、曲面でもよい。また、放光面１１２ｃは平坦面に限らず、曲面でもよい。
【００６８】
図９は、パッド板兼導光体２１２の外縁部の他の形状の例を示す図である。
【００６９】
例えば、同図（ａ）に示すように、第２反射部１１２ｄに相当する部分である曲面１１２ｅを高い面粗さで仕上げると共に、放光面１１２ｃを平坦で粗い面粗度で仕上げるという組み合わせにしてもよい。この場合は、放光面１１２ｃが光ってみえる。また、同図（ｂ）に示すように、第２反射部１１２ｄに相当する部分である曲面１１２ｅを高い面粗さで仕上げると共に、放光面１１２ｃに相当する部分である曲面１１２ｆを外縁部上部に設け、曲面１１２ｆを粗い面粗度で仕上げるという組み合わせにしてもよい。この場合は、曲面１１２ｆが光ってみえる。なお、実験によれば、同図（ａ）の組み合わせが最も発光輝度が高かった。ただし、外縁部下部と外縁部上部との仕上げの組み合わせによって、放光面１１２ｃにおける放光の方向、明るさ、態様が変わるので、デザイン的な視点で機種や用途に合わせ、適当に組み合わせればよい。
【００７０】
【発明の効果】
以上説明したように、本発明の請求項１に係る電子ドラム装置によれば、耐久性や低コストを確保しつつ、簡単な構成で且つ所望の態様でパッド体の外周全体を光らせることができる
本発明の請求項２に係る電子ドラム装置によれば、導光体内部を通過する光の方向を規定して、入射光を導光体の外縁部へ放射状に効率よく導くことができる。
【００７１】
本発明の請求項３に係る電子ドラム装置によれば、構成をより簡単にすることができる。
【００７２】
本発明の請求項４に係る電子ドラム装置によれば、導光体の外縁部の上部が効率よく発光して視認されるようにすることができる。
【図面の簡単な説明】
【図１】  本発明の第１の実施の形態に係る電子ドラム装置の外観図である。
【図２】  同形態におけるパッド体の平面図である。
【図３】  図１のＣ−Ｃ線に沿う部分断面図である。
【図４】  有膜弾性体を取り出して斜め上方からみた部分斜視図である。
【図５】  第２の実施の形態に係る電子ドラム装置における振動検出体の平面図である。
【図６】  図５のＤ−Ｄ線に相当する線に沿う電子ドラム装置の部分断面図である。
【図７】  有膜弾性体の平面図である。
【図８】  第３の実施の形態に係る電子ドラム装置におけるパッド体の中央近傍を示す部分断面図である。
【図９】  パッド板兼導光体の外縁部の他の形状の例を示す図である。
【符号の説明】
４１  センサ部、  ７０  光源部、  ７１  ＬＥＤ、  １１０  パッド体、  １１１  パッド表皮体、  １１１ａ  打撃面（被打撃面）、  １１２  パッド板兼導光体、  １１２ａ  光入射部（入射部）、  １１２ｃ  放光面、  １１２ｄ第２反射部、  １１６  第１反射部、  ２４２、３４２  有膜弾性体、  ３０６、４０６  上ケース
【図１】
0003644379.tif 000002
【図２】
0003644379.tif 000003
【図３】
0003644379.tif 000004
【図４】
0003644379.tif 000005
【図５】
0003644379.tif 000006
【図６】
0003644379.tif 000007
【図７】
0003644379.tif 000008
【図８】
0003644379.tif 000009
【図９】
0003644379.tif 000010